(57)【要約】      （修正有）【課題】寒締め栽培を低コストにて実現できる空調システムを提供する。【解決手段】植物工場Ｓ１は、植物６０を生長させるための生長室Ｓ１１と、収穫前の所定期間に植物６１を生長室Ｓ１１内よりも低い温度にて管理するための寒締め室Ｓ１２とを有する。空気調和機２０は、各部屋Ｓ１１、Ｓ１２の室内温度を調節するための気温調節ユニット２１を１台有する。【選択図】図１
2016146755.tif 000002
【特許請求の範囲】
【請求項１】
植物工場（S1）内の空気調和を行う空気調和機（20）を備えた植物栽培用空調システムであって、
上記植物工場（S1）は、植物を生長させるための生長室（S11）と、収穫前の所定期間に上記植物を上記生長室（S11）内よりも低い室内温度にて管理するための寒締め室（S12）とを有し、
上記空気調和機（20）は、上記生長室（S11）及び上記寒締め室（S12）の各室内温度を調節するための気温調節ユニット（21,26,34）、を１台有する
ことを特徴とする植物栽培用空調システム。
【請求項２】
請求項１において、
上記気温調節ユニット（21,26,34）は、熱媒体を冷却し、
上記空気調和機（20）は、上記気温調節ユニット（21,26,34）にて冷却された熱媒体を上記寒締め室（S12）内の空気と熱交換させて該寒締め室（S12）内の空気を冷却する第１寒締め室側冷却ユニット（23,28）、を更に有する
ことを特徴とする植物栽培用空調システム。
【請求項３】
請求項２において、
上記空気調和機（20）は、上記気温調節ユニット（21,26,34）にて冷却された熱媒体を用いて上記生長室（S11）の空気を冷却する第１生長室側冷却ユニット（22,27）、を更に有する
ことを特徴とする植物栽培用空調システム。
【請求項４】
請求項３において、
上記気温調節ユニット（21,34）にて冷却された熱媒体は、上記第１生長室側冷却ユニット（22）及び上記第１寒締め室側冷却ユニット（23,28）に直接送られる
ことを特徴とする植物栽培用空調システム。
【請求項５】
請求項３において、
上記気温調節ユニット（26）にて冷却された熱媒体は、上記第１寒締め室側冷却ユニット（28）に送られて上記寒締め室（S12）内の空気を冷却した後、上記第１生長室側冷却ユニット（27）に送られる
ことを特徴とする植物栽培用空調システム。
【請求項６】
請求項３から５のいずれか１項において、
上記寒締め室（S12）には、植物植付用の栽培パネル（41）と植物を育成するための養液（47）が貯留された貯留部（45）とを有する栽培ベッド（40）、が設置されており、
上記空気調和機（20）は、上記気温調節ユニット（26,34）にて冷却された熱媒体を用いて上記養液（47）を冷却する養液冷却ユニット（29,30）、を更に有する
ことを特徴とする植物栽培用空調システム。
【請求項７】
請求項１から６のいずれか１項において、
上記空気調和機（20）は、上記生長室（S11）内の空気を上記寒締め室（S12）内の空気によって冷却する第２生長室側冷却ユニット（25）、を更に有する
ことを特徴とする植物栽培用空調システム。
【請求項８】
請求項１から７のいずれか１項において、
上記寒締め室（S12）には、貫通孔（43）が形成された植物植付用の栽培パネル（41）が設置されており、
上記気温調節ユニット（21）は、熱媒体である空気を冷却し、
上記空気調和機（20）は、上記気温調節ユニット（21）にて冷却された空気を上記貫通孔（43）を介して上記寒締め室（S12）側へと送る第２寒締め室側冷却ユニット（24）、を更に有する
ことを特徴とする植物栽培用空調システム。
【発明の詳細な説明】
【技術分野】
【０００１】
本発明は、植物工場に設置される植物栽培用の空調システムに関する。
【背景技術】
【０００２】
従来より、植物工場において野菜などの植物を水耕栽培するにあたり、空気調和機を用いて栽培空間の温度環境を整えるシステムが知られている。
【０００３】
特許文献１は、当該システムの一例を示す。特許文献１のシステムでは、空気調和機、植物に人工光を照射する複数の光源、植物に気流を送るファン等の、さまざまな機器が植物工場に設置されており、これらの機器は自動的に制御される。
【先行技術文献】
【特許文献】
【０００４】
【特許文献１】特開２０１３−１１１０７３号公報
【発明の概要】
【発明が解決しようとする課題】
【０００５】
ところで、近年、付加価値のある植物の栽培方法として、寒締め栽培が注目されている。寒締め栽培とは、冬季にビニールハウス等で育てた植物を収穫前に外の寒気にさらすことで、糖分を植物中に凝縮させる栽培方法である。
【０００６】
このような寒締め栽培を、露地栽培やハウス栽培よりも生産能力が高い植物工場にて実現することが望まれる。その場合、寒締め栽培の効果を確実に得るために、植物の栽培過程を生長過程と寒締め過程とに分け、各過程での環境を適切に調整する必要がある。しかも、植物工場にて寒締め栽培を行うにあたり、低コストでの実現が望まれる。
【０００７】
本発明は、かかる点に鑑みてなされたものであり、その目的は、寒締め栽培を低コストにて実現できる空調システムを提供することである。
【課題を解決するための手段】
【０００８】
第１の発明は、植物工場（S1）内の空気調和を行う空気調和機（20）を備えた植物栽培用空調システムであって、上記植物工場（S1）は、植物（60）を生長させるための生長室（S11）と、収穫前の所定期間に上記植物（61）を上記生長室（S11）内よりも低い室内温度にて管理するための寒締め室（S12）とを有し、上記空気調和機（20）は、上記生長室（S11）及び上記寒締め室（S12）の各室内温度を調節するための気温調節ユニット（21,26,34）、を１台有することを特徴とする植物栽培用空調システムである。
【０００９】
ここでは、植物の生長室（S11）と寒締め室（S12）とが設けられており、１台の気温調節ユニット（21,26,34）が共通して利用されて、寒締め室（S12）の室内温度（RAc）が生長室（S11）の室内温度（RAg）よりも低くなるように調整される。これにより、個々の部屋（S11,S12）毎に気温調節ユニットを設ける必要がない分、植物栽培用空調システム（10）は低コストで構築できる。従って、寒締め栽培を低コストにて実現することができる。
【００１０】
第２の発明は、第１の発明において、上記気温調節ユニット（21,26,34）は、熱媒体を冷却し、上記空気調和機（20）は、上記気温調節ユニット（21,26,34）にて冷却された熱媒体を上記寒締め室（S12）内の空気と熱交換させて該寒締め室（S12）内の空気を冷却する第１寒締め室側冷却ユニット（23,28）、を更に有することを特徴とする植物栽培用空調システムである。
【００１１】
熱媒体としては、空気、水、ブライン等が挙げられ、このような熱媒体を用いて、寒締め室（S12）の室内空気（RAc）が冷却される。従って、植物栽培用空調システム（10）は、簡単な構成にて、寒締め室（S12）の室内空気（RAc）を冷却することができる。
【００１２】
第３の発明は、第２の発明において、上記空気調和機（20）は、上記気温調節ユニット（21,26,34）にて冷却された熱媒体を用いて上記生長室（S11）の空気を冷却する第１生長室側冷却ユニット（22,27）、を更に有することを特徴とする植物栽培用空調システムである。
【００１３】
これにより、植物栽培用空調システム（10）は、簡単な構成にて、生長室（S11）の室内空気（RAg）を冷却することができる。
【００１４】
第４の発明は、第３の発明において、上記気温調節ユニット（21,34）にて冷却された熱媒体は、上記第１生長室側冷却ユニット（22）及び上記第１寒締め室側冷却ユニット（23,28）に直接送られることを特徴とする植物栽培用空調システムである。
【００１５】
これにより、生長室（S11）及び寒締め室（S12）の双方が、概ね同時に冷却される。
【００１６】
第５の発明は、第３の発明において、上記気温調節ユニット（26）にて冷却された熱媒体は、上記第１寒締め室側冷却ユニット（28）に送られて上記寒締め室（S12）内の空気を冷却した後、上記第１生長室側冷却ユニット（27）に送られることを特徴とする植物栽培用空調システムである。
【００１７】
ここでは、熱媒体は、先に寒締め室（S12）の室内空気（RAc）を冷却するため、冷却後の熱媒体（HM2）自身の温度は冷却前よりも上昇する。しかし、生長室（S11）は寒締め室（S12）よりも高い温度に管理されるため、第１生長室側冷却ユニット（27）は、温度が上昇した熱媒体（HM2）を用いても生長室（S11）を適切な温度にすることができる。
【００１８】
第６の発明は、第３の発明から第５の発明のいずれか１つにおいて、上記寒締め室（S12）には、植物植付用の栽培パネル（41）と植物を育成するための養液（47）が貯留された貯留部（45）とを有する栽培ベッド（40）、が設置されており、上記空気調和機（20）は、上記気温調節ユニット（26,34）にて冷却された熱媒体を用いて上記養液（47）を冷却する養液冷却ユニット（29,30）、を更に有することを特徴とする植物栽培用空調システムである。
【００１９】
これにより、栽培パネル（41）に栽培されている植物（61）の根が冷却される。従って、寒締め工程が効果的に行われる。
【００２０】
第７の発明は、第１の発明から第６の発明のいずれか１つにおいて、上記空気調和機（20）は、上記生長室（S11）内の空気を上記寒締め室（S12）内の空気によって冷却する第２生長室側冷却ユニット（25）、を更に有することを特徴とする植物栽培用空調システムである。
【００２１】
これにより、生長室（S11）の室内空気（RAg）を、簡単な構成にて冷却することができる。また、第２生長室側冷却ユニット（25）を、例えば生長室（S11）内の上方の空気を冷却するように設置しておくことで、生長室（S11）内の温度ムラを解消することもできる。
【００２２】
第８の発明は、第１の発明から第７の発明のいずれか１つにおいて、上記寒締め室（S12）には、貫通孔（43）が形成された植物植付用の栽培パネル（41）が設置されており、上記気温調節ユニット（21）は、熱媒体である空気を冷却し、上記空気調和機（20）は、上記気温調節ユニット（21）にて冷却された空気を上記貫通孔（43）を介して上記寒締め室（S12）側へと送る第２寒締め室側冷却ユニット（24）、を更に有することを特徴とする植物栽培用空調システムである。
【００２３】
これにより、気温調節ユニット（21）によって冷却された空気（SAb）は、栽培パネル（41）に栽培されている植物（61）の主に根付近を冷却することができる。特に、貫通孔（43）を通過した空気は、植物（61）の葉の裏等に触れることで植物（61）の葉を冷却することができる。
【発明の効果】
【００２４】
第１の発明によれば、寒締め栽培を低コストにて実現することができる。
【００２５】
第２の発明によれば、空調システム（10）は、簡単な構成にて、寒締め室（S12）の室内空気（RAc）を冷却することができる。
【００２６】
第３の発明によれば、空調システム（10）は、簡単な構成にて、生長室（S11）の室内空気（RAg）を冷却することができる。
【００２７】
第４の発明によれば、生長室（S11）及び寒締め室（S12）の双方が、概ね同時に冷却される。
【００２８】
第５の発明によれば、第１生長室側冷却ユニット（27）は、温度が上昇した熱媒体（HM2）を用いても生長室（S11）を適切な温度にすることができる。
【００２９】
第６の発明によれば、栽培パネル（41）に栽培されている植物（61）の根が冷却されるため、寒締め工程が効果的に行われる。
【００３０】
第７の発明によれば、生長室（S11）の室内空気を、簡単な構成にて冷却することができる。また、生長室（S11）内の温度ムラを解消することも可能となる。
【００３１】
第８の発明によれば、栽培パネル（41）に栽培されている植物（61）の根や葉を冷却することができる。
【図面の簡単な説明】
【００３２】
【図１】図１は、本実施形態１の植物栽培用空調システムの構成概略図である。
【図２】図２は、図１の植物栽培用空調システムの接続構成を模式的に示す図である。
【図３】図３は、本実施形態２の植物栽培用空調システムの接続構成を模式的に示す図である。
【図４】図４は、本実施形態３の栽培ベッドの構成概略図である。
【図５】図５は、本実施形態４の植物栽培用空調システムの接続構成を模式的に示す図である。
【図６】図６は、本実施形態５の栽培ベッド付近の接続構成を簡略的に示す図である。
【図７】図７は、本実施形態６の植物栽培用空調システムの接続構成を模式的に示す図である。
【発明を実施するための形態】
【００３３】
以下、本発明の実施形態を図面に基づいて詳細に説明する。なお、以下の実施形態は、本質的に好ましい例示であって、本発明、その適用物、あるいはその用途の範囲を制限することを意図するものではない。
≪第１実施形態≫
＜概要＞
本実施形態１に係る植物栽培用空調システム（10）（以下“空調システム（10）”）は、野菜や果物等の植物（60,61）を栽培する植物工場（S1）に構築される。空調システム（10）は、主として、栽培中の植物（60,61）の生長が促進されるように植物工場（S1）内の空気調和を行う空気調和機（20）を備える。
【００３４】
特に、本実施形態１に係る空調システム（10）は、植物（60,61）の収穫直前の所定期間、植物（61）を生長中よりも低い温度にて管理することで、植物（61）の可食部に含まれる糖度を上昇させる。これを、寒締め栽培と言う。即ち、空調システム（10）は、単に植物（60,61）を収穫まで生長させるだけではなく、生長工程の後に寒締め工程を得て植物（61）を収穫するためのシステムと言うことができる。
【００３５】
＜植物工場＞
植物工場（S1）は、植物（60,61）の栽培が行われる建物であって、建物の大小は問わないものとする。また、植物工場（S1）は、季節を問わず植物（60,61）を栽培できる環境であって、建物は比較的断熱性能の優れている材質によって構築されていることが好ましい。植物工場（S1）内部を、植物工場（S1）の外気温等の影響を受けることなく適切な栽培環境に維持させるためである。
【００３６】
ここで、図１及び図２を用いて、植物工場（S1）の間取りについて説明する。図１及び図２に示すように、植物工場（S1）は、生長室（S11）と寒締め室（S12）とを有する。
【００３７】
生長室（S11）は、植物（60）を収穫可能なサイズにまで生長させるための部屋であって、図１に示すように、栽培ベッド（40）が設置されている。
【００３８】
栽培ベッド（40）は、主として、植物（60）が植え付けられる栽培パネル（41）と、植物（60）を育成するための養液（47）を溜める養液槽（45）（貯留部に相当）とで構成される。栽培パネル（41）は、ポリスチレンや発砲樹脂等である断熱性の比較的高い材質が水平に延びることで形成された板状部材である。図示していないが、栽培パネル（41）には、水平面上において互いに所定間隔離れて位置する植物植え付け用の孔が、上下方向に貫通するようにして複数設けられている。更に、本実施形態１に係る栽培パネル（41）には、図１に示すように、植物植え付け用の孔とは別に、上下方向に貫通する貫通孔（43）が、水平面上にて互いに所定間隔離れて複数設けられている。養液槽（45）は、上面が開放された水槽であって、内部には養液（47）が貯留されている。養液（47）の上方には、養液槽（45）の上面を覆うようにして栽培パネル（41）が載置されている。
【００３９】
寒締め室（S12）とは、生長室（S11）にて収穫可能なサイズにまで生長した植物（61）が、実際に収穫されるまでの所定期間の間、生長室（S11）よりも低い温度にて管理されるための部屋である。それ故、生長室（S11）で生長した植物（61）は、実際の収穫の所定期間前に至ると、栽培パネル（41）に植え付けられおり未だ収穫されていない状態で、寒締め室（S12）へと作業者によりないしは自動で運ばれる。寒締め室（S12）内には、生長室（S11）内と同様の栽培ベッド（40）が設置されている。なお、植物（61）が生長室（S11）から寒締め室（S12）に運ばれる際、寒締め室（S12）には養液（47）の入った養液槽（45）が既に設置されている状態にて、栽培パネル（41）のみが運ばれても良いし、生長室（S11）の栽培ベッド（40）ごと寒締め室（S12）内に運ばれても良い。
【００４０】
生長室（S11）及び寒締め室（S12）の各室内温度は、空気調和機（20）にて調節される。一例としては、植物（60,61）をホウレン草とした場合、生長室（S11）内の目標温度は約１８℃に設定され、寒締め室（S12）内の目標温度は約１８℃よりも低い約５℃に設定される。ホウレン草が生長室（S11）にて管理される期間としては、約３０日間が挙げられ、ホウレン草が寒締め室（S12）内にて管理される所定期間としては、約５日が挙げられる。
【００４１】
なお、本実施形態１では、生長室（S11）内の一部空間が仕切られることで寒締め室（S12）がブースとして設けられている場合を例示している。しかし、寒締め室（S12）は、必ずしも生長室（S11）内に設けられていなくても良く、例えば１つの建物の中に生長室（S11）と隣接して設けられていても良いし、生長室（S11）の建物と寒締め室（S12）の建物とが隣接していても良い。
【００４２】
＜空気調和機の構成＞
次に、本実施形態１に係る空気調和機（20）の構成について詳述する。
【００４３】
空気調和機（20）は、上述した生長室（S11）及び寒締め室（S12）それぞれの室内温度を、空気を熱媒体として用いて調節する。
【００４４】
図１及び図２に示すように、空気調和機（20）は、１台の気温調節ユニット（21）と、第１生長室側冷却ユニットである混合器（22）と、第１寒締め室側冷却ユニットである混合器（23）と、第２寒締め室側冷却ユニットである空気分散器（24）とを有する。
【００４５】
−気温調節ユニット−
気温調節ユニット（21）は、生長室（S11）及び寒締め室（S12）の各室内温度（RAg,RAc）を調節する際の共通の熱源として利用されるものであって、例えば室内熱交換器及び室内ファン等を含む室内機で構成されている。
【００４６】
図２に示すように、気温調節ユニット（21）は、各混合器（22,23）及び空気分散器（24）とダクト（11）を介して接続されていると共に、生長室（S11）の内部及び寒締め室（S12）の内部とダクト（12）を介して接続されている。ダクト（11）は、気温調節ユニット（21）の吹き出し口に接続され、ダクト（12）は、気温調節ユニット（21）の吸い込み口に接続されている。気温調節ユニット（21）は、ダクト（12）を介して生長室（S11）の室内空気（RAg）と寒締め室（S12）の室内空気（RAc）とが混合された空気（RAm）を吸い込むと、当該空気（RAm）を室内熱交換器によって冷却し、これを供給空気（SAb）としてダクト（11）内に送り出す。
【００４７】
なお、気温調節ユニット（21）は、図示していないが、植物工場（S1）の外に配置されている室外機と冷媒配管を介して接続されている。気温調節ユニット（21）内の室内熱交換器は、室外機内の室外熱交換器と共に冷媒回路を構成している。
【００４８】
−混合器（第１生長室側冷却ユニット）−
混合器（22）は、生長室（S11）内の天井や壁等に設置されており、２つの吸い込み口と１つの吹き出し口とが形成されている。吸い込み口の１つは、ダクト（11）を介して気温調節ユニット（21）の吹き出し口に接続されており、他の吸い込み口及び吹き出し口は、生長室（S11）内とつながっている。
【００４９】
混合器（22）は、気温調節ユニット（21）によって冷却された熱媒体である空気（SAb）をダクト（11）を介して吸い込むと共に、生長室（S11）の室内空気（RAg）を吸い込む。混合器（22）は、吸い込んだこれらの空気を混合器（22）の本体内にて混合させることで、生長室（S11）の現在の室内空気（RAg）よりも低い温度の空気（SAg）を生成し、これを生長室（S11）に送り出す。つまり、混合器（22）は、気温調節ユニット（21）からの空気（SAb）を用いて生長室（S11）の室内空気（RAg）を冷却する。
【００５０】
特に、混合器（22）は、吸い込んだ生長室（S11）の室内空気（RAg）に気温調節ユニット（21）からの空気（SAb）を混ぜて、室内空気（RAg）を生長室（S11）の目標温度にまで冷却させる。そのため、混合器（22）が吸い込む空気（SAb,RAg）の量の少なくとも一方は調節されることが望ましい。そこで、本実施形態１では、図２に示すように、ダクト（11）のうち気温調節ユニット（21）と混合器（22）とをつなぐ空気経路上に、切替ダンパ（11a）が設けられている。切替ダンパ（11a）は、気温調節ユニット（21）からの空気（SAb）の混合器（22）への流入量を調節するためのものである。例えば、室内空気（RAg）の温度が目標温度よりも高く且つ室内空気（RAg）と目標温度との差が大きい程、切替ダンパ（11a）は、気温調節ユニット（21）からの空気（SAb）の混合器（22）への流入量が多くなるような状態を採る。
【００５１】
なお、混合器（22）が吸い込む空気量の調節機構は、ダンパに限定されず、例えばファンであっても良い。その場合、ファンは、ダクト（11）内に設けられてもよいし、混合器（22）内部のファンによって行われてもよい。
【００５２】
−混合器（第１寒締め室側冷却ユニット）−
混合器（23）は、寒締め室（S12）内の天井や壁等に設置されており、上記混合器（22）と同様、２つの吸い込み口と１つの吹き出し口とが形成されている。吸い込み口の１つは、ダクト（11）を介して気温調節ユニット（21）の吹き出し口に接続されており、他の吸い込み口及び吹き出し口は、寒締め室（S12）内とつながっている。特に、混合器（23）は、気温調節ユニット（21）に対し、混合器（22）と並列にダクト（11）によって接続されている。
【００５３】
混合器（23）は、気温調節ユニット（21）によって冷却された空気（SAb）をダクト（11）を介して吸い込むと共に、寒締め室（S12）の室内空気（RAc）を吸い込む。混合器（23）は、吸い込んだこれらの空気を混合器（23）の本体内にて混合させることで、寒締め室（S12）の現在の室内空気（RAc）よりも低い温度の空気（SAc）を生成し、これを寒締め室（S12）に送り出す。つまり、混合器（23）は、気温調節ユニット（21）からの空気（SAb）を利用、より具体的には空気（SAb）を室内空気（RAc）と熱交換させて、寒締め室（S12）の室内空気（RAc）を冷却する。
【００５４】
特に、上述した混合器（22）と同様、混合器（23）は、吸い込んだ寒締め室（S12）の室内空気（RAc）に気温調節ユニット（21）からの空気（SAb）を混ぜて、室内空気（RAc）を寒締め室（S12）の目標温度にまで冷却させる。そのため、ダクト（11）のうち、気温調節ユニット（21）と混合器（23）とをつなぐ空気経路上には、切替ダンパ（11b）が更に設けられている。切替ダンパ（11b）は、当該空気経路上において、上記切替ダンパ（11a）よりも空気（SAb）の流れ方向下流側に位置している。切替ダンパ（11b）は、気温調節ユニット（21）からの空気（SAb）の混合器（23）への流入量を調節するためのものである。例えば、室内空気（RAc）の温度が目標温度よりも高く且つ室内空気（RAc）と目標温度との差が大きい程、切替ダンパ（11b）は、気温調節ユニット（21）からの空気（SAb）の混合器（23）への流入量が多くなるような状態を採る。
【００５５】
なお、混合器（23）が吸い込む空気量の調節機構は、ダンパではなくファンでもよい。
【００５６】
−空気分散器（第２寒締め室側冷却ユニット）−
図１に示すように、空気分散器（24）は、寒締め室（S12）内の栽培ベッド（40）において、栽培パネル（41）の下方且つ養液槽（45）内部に配置されている。空気分散器（24）は、主として、栽培パネル（41）の長手方向に沿って細長い分散部（24a）によって構成される。
【００５７】
分散部（24a）は、樹脂やセラミック等によって形成されており、内部が空洞であるとともに、外表面には複数の孔（24b）が形成されている。そして、分散部（24a）の長手方向の一端は閉じているが、他端は開放されており、図１及び図２に示すようにダクト（11）に接続されている。特に、空気分散器（24）は、気温調節ユニット（21）に対し、各混合器（22,23）と並列にダクト（11）によって接続されている。
【００５８】
図示してはいないが、分散部（24a）内部もしくは分散部（24a）付近のダクト（11）内部には、エアポンプが配置されている。これにより、分散部（24a）内部には、気温調節ユニット（21）からの空気（SAb）がダクト（11）を介して流入し、当該空気（SAb）は、分散部（24a）の外表面の複数の孔（24b）から分散部（24a）の外部へと送り出される。分散部（24a）外部に送り出された空気（SAb）は、図１に示すように気泡となって養液（47）内を栽培パネル（41）側へと移動するが、この時、当該空気（SAb）は、養液（47）と熱交換をしつつ栽培パネル（41）側へと上昇する。つまり、空気（SAb）の温度が養液（47）の温度よりも低ければ、空気（SAb）は養液（47）を冷却する。そして、養液（47）と熱交換した空気は、やがて栽培パネル（41）に形成された貫通孔（43）を介して寒締め室（S12）側内へと送られる。
【００５９】
このような空気分散器（24）により、空気（SAb）が気泡となって養液（47）内を通過する際、養液（47）には空気（SAb）に含まれる酸素が供給されるため、養液（47）は、高い溶存酸素濃度を維持することが可能となる。そして、空気（SAb）は、養液（47）を通過しながら養液（47）を冷却するため、養液（47）に浸かっている植物（61）の根を冷やすことができる。貫通孔（43）を通過した空気は植物（61）の葉の裏等に当たるため、植物（61）を比較的温度ムラなく冷却することができ、高い寒締め効果が得られる。植物に当たった空気は、そのまま寒締め室（S12）内に拡散され、寒締め室（S12）の室内空気（SAc）の冷却に多少なりとも貢献することができる。
【００６０】
なお、栽培パネル（41）における貫通孔（43）は、貫通孔（43）を通過した後の空気（SAb）が確実に植物（61）の葉の裏付近に当たる位置に形成されていることが好ましい。これにより、貫通孔（43）を通過した空気（SAb）は、植物（61）の葉の裏（具体的には気孔）に触れるため、葉の裏の表面付近に形成された空気流動の小さな層（葉面境界層）は薄くなり、植物（61）は空気（SAb）に含まれる二酸化炭素を取り込んで光合成を適切に行うことができる。従って、本実施形態１は、植物（61）が栽培パネル（41）上に密集しているが故に光合成が困難である場合も好適であり、混合器（23）のみで寒締め室（S12）内を冷却する場合よりも光合成を促進させることができると言える。
【００６１】
なお、貫通孔（43）から寒締め室（S12）へと流出する空気の流速が約０．６ｍ／ｓ程度となるように、複数の孔（24b）から送り出される空気（SAb）の流速が調整されることが好ましい。植物（61）が光合成を行うためには、葉の裏に約０．６ｍ／ｓの流速の空気が送られることが必要となるためである。
【００６２】
＜空気調和機の動作＞
上述した構成を有する空気調和機（20）の動作について、図２を用いて説明する。
【００６３】
先ず、生長室（S11）内の目標温度が１８℃であって寒締め室（S12）内の目標温度が５℃である一方、実際の生長室（S11）の室内温度（RAg）が約２４℃であって実際の寒締め室（S12）の室内温度（RAc）が約７℃であるとする。
【００６４】
気温調節ユニット（21）は、約２４℃である生長室（S11）の室内空気（RAg）と約７℃である寒締め室（S12）の室内空気（RAc）とがダクト（12）内で混合されて約２０℃となった空気（RAm）を吸い込む。気温調節ユニット（21）は、吸い込んだ約２０℃の空気（RAm）を、室内熱交換器にて冷媒と熱交換させて約３℃にまで冷却し、冷却された空気（SAb）をダクト（11）内に送り出す。当該空気（SAb）は、生長室（S11）内の混合器（22）、寒締め室（S12）内の混合器（23）及び空気分散器（24）に直接送られる。
【００６５】
生長室（S11）内の混合器（22）は、約３℃である気温調節ユニット（21）からの空気（SAb）と約２４℃である生長室（S11）の室内空気（RAg）とを吸い込むと、これらを本体内部で混合して生長室（S11）の目標温度である約１８℃の空気（SAg）を生成する。混合器（22）は、当該空気（SAg）を吹き出し口を介して生長室（S11）内に送り出す。
【００６６】
寒締め室（S12）内の混合器（23）は、約３℃である気温調節ユニット（21）からの空気（SAb）と約７℃である寒締め室（S12）の室内空気（RAc）とを吸い込むと、これらを本体内部で混合して寒締め室（S12）の目標温度である約５℃の空気（SAc）を生成する。混合器（23）は、当該空気（SAc）を吹き出し口を介して寒締め室（S12）内に送り出す。
【００６７】
また、寒締め室（S12）内の栽培ベッド（40）の養液（47）の温度が５℃であるとする。空気分散器（24）は、約３℃である気温調節ユニット（21）からの空気（SAb）を吸い込むと、当該空気（SAb）を複数の孔（24b）を介して養液（47）内に送り出す。養液（47）内に送り出された空気（SAb）は約３℃であるのに対し、養液（47）の温度は約５℃であるため、空気（SAb）は、養液（47）と熱交換を行うことで例えば約４℃程度となり、貫通孔（43）を介して寒締め室（S12）側に送られる。つまり、当該空気（SAb）は、養液（47）を冷却することで植物（61）の根付近を冷やし、更に貫通孔（43）を通過後は植物（61）に接することで植物（61）の葉等を冷やし、その後は寒締め室（S12）内に拡散される。
【００６８】
＜効果＞
本実施形態１では、植物工場（S1）内に生長室（S11）と寒締め室（S12）とが設けられており、１台の気温調節ユニット（21）が共通して利用されて、寒締め室（S12）の室内温度（RAc）が生長室（S11）の室内温度（RAg）よりも低くなるように調整される。これにより、個々の部屋（S11,S12）毎に気温調節ユニットを設ける必要がない分、空調システム（10）は低コストで構築できる。従って、寒締め栽培を低コストにて実現することができる。
【００６９】
また、寒締め室（S12）内には、混合器（23）が設けられている。混合器（23）は、気温調節ユニット（21）にて冷却された空気（SAb）を寒締め室（S12）の室内空気（RAc）と熱交換させて、該寒締め室（S12）内の空気を冷却する。このように、空調システム（10）は、簡単な構成にて、寒締め室（S12）の室内空気（RAc）を冷却することができる。
【００７０】
また、生長室（S11）内には、混合器（22）が設けられている。混合器（22）は、気温調節ユニット（21）にて冷却された空気（SAb）を用いて生長室（S11）内の空気を冷却する。このように、空調システム（10）は、簡単な構成にて、生長室（S11）の室内空気（RAg）を冷却することができる。
【００７１】
また、図１及び図２に示すように、気温調節ユニット（21）にて冷却された空気（SAb）は、各部屋（S11,S12）の混合器（22,23）に直接送られる。これにより、生長室（S11）及び寒締め室（S12）の双方が概ね同時に冷却される。
【００７２】
また、寒締め室（S12）内には、空気分散器（24）が設けられている。空気分散器（24）により、気温調節ユニット（21）によって冷却された空気（SAb）は、養液（47）内を通ることで養液（47）を冷却する。そして、養液（47）を通過後の空気は、栽培パネル（41）の貫通孔（43）を通過して寒締め室（S12）内に拡散される。これにより、栽培パネル（41）に栽培されている植物（61）の主に根付近を冷却することができる。特に、貫通孔（43）を通過した空気は、植物（61）の葉の裏等に触れることで植物（61）の葉を冷却することができる。
≪実施形態２≫
＜空調システム及び空気調和機の構成＞
本実施形態２に係る空調システム（10）は、上記実施形態１を基本としたものであるが、気温調節ユニット（21）が吸い込む空気は生長室（S11）の室内空気（RAg）のみに変更されている。具体的に、図３に示すように、気温調節ユニット（21）の吸い込み口は、ダクト（12'）を介して生長室（S11）内部のみとつながっている。気温調節ユニット（21）の吹き出し口は、上記第１実施形態と同様、ダクト（11）を介して各混合器（22,23）及び空気分散器（24）の吸い込み口とつながっている。気温調節ユニット（21）は、生長室（S11）の室内空気（RAg）を吸い込むと、当該室内空気（RAg）を冷媒により冷却させ、これをダクト（11）内に送り出す。
【００７３】
更に、本実施形態２に係る空気調和機（20）は、上記実施形態１に係る空気調和機（20）の構成に加え、第２生長室側冷却ユニットである混合器（25）を有している。図３に示すように、混合器（25）は、ダクト等には一切接続されておらず、他の混合器（22,23）や気温調節ユニット（21）、空気分散器（24）とは独立して設けられている。混合器（25）は、生長室（S11）と寒締め室（S12）とに跨がって配置されている。特に、栽培パネル（41）が少なくとも生長室（S11）にて上下方向に複数段に重ねて設置されている場合において、混合器（25）は、上段の栽培パネル（41）の更に上方の壁や天井に設けられていることが好ましい。
【００７４】
混合器（25）には、他の混合器（22,23）と同様、２つの吸い込み口と１つの吹き出し口とが形成されている。吸い込み口の１つ及び吹き出し口は、生長室（S11）内とつながっており、他の吸い込み口は、寒締め室（S12）内とつながっている。
【００７５】
混合器（25）は、生長室（S11）の室内空気（RAg）を吸い込むと共に、寒締め室（S12）の室内空気（RAc）を吸い込む。混合器（25）は、吸い込んだこれらの空気を混合器（25）の本体内にて混合させることで、生長室（S11）の現在の室内空気（RAg）よりも低い温度の空気（SAg'）を生成し、これを生長室（S11）に送り出す。つまり、混合器（25）は、気温調節ユニット（21）からの空気（SAb）を利用せずに、寒締め室（S12）の室内空気（RAc）を利用することによって生長室（S11）の室内空気（RAg）を冷却する。
【００７６】
この時、混合器（25）は、吸い込んだ生長室（S11）の室内空気（RAg）に寒締め室（S12）の室内空気（RAc）を混ぜて、室内空気（RAg）を生長室（S11）の目標温度にまで冷却させることが好ましい。そのため、混合器（25）は、生長室（S11）の現在の室内温度（RAg）及び寒締め室（S12）の現在の室内温度（RAc）の少なくとも１つに基づいて、混合器（25）に含まれるファン（図示せず）の回転数を調整し、寒締め室（S12）から吸い込む室内空気（RAc）の量を調節すると良い。例えば、生長室（S11）の現在の室内空気（RAg）の温度が生長室（S11）の目標温度よりも高く且つ室内空気（RAg）と生長室（S11）の目標温度との差が大きい程、混合器（25）は、寒締め室（S12）から吸い込む室内空気（RAc）の量を多くする。
【００７７】
＜空気調和機の動作＞
先ず、生長室（S11）内の目標温度が１８℃であって寒締め室（S12）内の目標温度が５℃である一方、実際の生長室（S11）の室内温度（RAg）が約２４℃であって実際の寒締め室（S12）の室内温度（RAc）が約７℃であるとする。
【００７８】
気温調節ユニット（21）は、ダクト（12'）を介して約２４℃である生長室（S11）の室内空気（RAg）を吸い込み、これを室内熱交換器にて冷媒と熱交換させて約３℃にまで冷却する。冷却された空気（SAb）は、ダクト（11）内に送り出される。
【００７９】
生長室（S11）内の混合器（22）は、約３℃である気温調節ユニット（21）からの空気（SAb）と約２４℃である生長室（S11）の室内空気（RAg）とを吸い込んで混合し、生長室（S11）の目標温度である約１８℃の空気（SAg）を生成する。空気（SAg）は、生長室（S11）に送り出される。
【００８０】
寒締め室（S12）内の混合器（23）は、約３℃である気温調節ユニット（21）からの空気（SAb）と約７℃である寒締め室（S12）の室内空気（RAc）とを吸い込んで混合し、寒締め室（S12）の目標温度である約５℃の空気（SAc）を生成する。空気（SAc）は、寒締め室（S12）に送り出される。
【００８１】
空気分散器（24）は、約３℃である気温調節ユニット（21）からの空気（SAb）を養液（47）内に送り出す。当該空気（SAb）は、養液（47）及び貫通孔（43）を通過して植物（61）の葉の裏等に接し、その後寒締め室（S12）内に拡散される。
【００８２】
混合器（25）は、約２４℃である生長室（S11）の室内温度（RAg）と約７℃である寒締め室（S12）の室内温度（RAc）とを吸い込んで混合し、生長室（S11）の目標温度である約１８℃の空気（SAg'）を生成する。空気（SAg'）は、生長室（S11）に送り出される。
【００８３】
＜効果＞
本実施形態２に係る空調システム（10）は、上記実施形態１と同様の効果を奏する。
【００８４】
更に、本実施形態２では、生長室（S11）の室内空気（RAg）を寒締め室（S12）の室内空気（RAc）によって冷却する混合器（25）が更に設けられている。これにより、生長室（S11）の室内空気（RAg）を簡単な構成にて冷却することができる。
【００８５】
ところで、上段の栽培パネル（41）付近は、一般的に照明が近いため、照明の熱により温度が高なる。すると、上段側の栽培パネル（41）と下段側の栽培パネル（41）とでは温度ムラが生じ、よって上段側と下段側とでは植物（60）の生長速度が異なる可能性がある。これに対し、本実施形態２では、混合器（25）が上段の栽培パネル（41）付近に位置しているため、上段の栽培パネル（41）付近には積極的に冷却された空気が供給される。それ故、温度ムラの解消及び植物（60）の生長速度の均一化を図ることができる。
≪実施形態３≫
本実施形態３に係る空調システム（10）は、上記実施形態１を基本としたものであるが、空気分散器（24）は、図１に代えて、図４に示すように栽培パネル（41）の下面と養液（47）の上面との間に位置することで、気温調節ユニット（21）によって冷却された空気（SAb）を複数の孔（図示せず）から栽培パネル（41）の貫通孔（43）側へと吹き出してもよい。これにより、植物（61）の根は、気温調節ユニット（21）からの空気（SAb）によって冷却され、植物（61）の葉の裏等は、貫通孔（43）を介して寒締め室（S12）側に至った空気によって冷却される。
【００８６】
特に、図４であれば、上記実施形態１よりも空気分散器（24）は栽培パネル（41）に近いため、気温調節ユニット（21）からの空気（SAb）は、植物（61）及び寒締め室（S12）側へと供給され易くなる。従って、上記実施形態１よりも、植物（61）の光合成及び寒締め効果は促進され、また寒締め室（S12）の室内温度（RAc）も冷却され易くなる。
【００８７】
本実施形態３に係る空調システム（10）の他の構成は、上記実施形態１と同様であるため、本実施形態３は上記実施形態１と同様の効果を奏する。
【００８８】
なお、図４において、空気分散器（24）は、気温調節ユニット（21）に代えて二酸化炭素ボンベに接続されていてもよい。これにより、空気分散器（24）が気温調節ユニット（21）が接続されている場合よりも高濃度の二酸化炭素が、植物（61）の葉の裏に供給される。それ故、光合成はより促進される。更に、二酸化炭素ボンベに接続されている空気分散器（24）は、寒締め室（S12）用のみならず、生長室（S11）用の栽培ベッドにも適用可能である。
≪実施形態４≫
＜空気調和機の構成＞
本実施形態４に係る空調システム（10）の空気調和機（20）は、生長室（S11）及び寒締め室（S12）それぞれの室内温度を、水またはブラインを熱媒体として用いて調節する。
【００８９】
図５に示すように、空気調和機（20）は、１台の気温調節ユニット（26）と、第１生長室側冷却ユニットであるファンコイルユニット（27）と、第１寒締め室側冷却ユニットであるファンコイルユニット（28）と、養液冷却ユニットである冷却コイルユニット（29）とを有する。気温調節ユニット（26）、各ファンコイルユニット（27,28）及び冷却コイルユニット（29）は、配管（14）によって接続されており、水またはブラインである熱媒体が循環する熱媒体循環回路（13）が形成されている。
【００９０】
−熱媒体循環回路−
熱媒体循環回路（13）においては、気温調節ユニット（26）の熱媒体の出口に、寒締め室（S12）内のファンコイルユニット（28）の熱媒体の入口及び冷却コイルユニット（29）の熱媒体の入口が接続されて、ファンコイルユニット（28）の熱媒体の出口及び冷却コイルユニット（29）の熱媒体の出口に、生長室（S11）内のファンコイルユニット（27）の熱媒体の入口が接続されている。ファンコイルユニット（27）の熱媒体の出口は、気温調節ユニット（26）の熱媒体の入口に接続されている。即ち、気温調節ユニット（26）に対し、寒締め室（S12）内のファンコイルユニット（28）及び冷却コイルユニット（29）が互いに並列に接続されている。
【００９１】
また、熱媒体循環回路（13）は、１つのポンプ（14a）と３つの三方弁（14b,14c,14d）とを有する。ポンプ（14a）は、熱媒体を循環させる。第１三方弁（14b）は、気温調節ユニット（26）からの熱媒体を、ファンコイルユニット（28）及び冷却コイルユニット（29）側に流す状態、全てのユニット（27,28,29）に流す状態、ファンコイルユニット（27）側のみに流す状態のいずれかに切り換える。第２三方弁（14c）は、気温調節ユニット（26）から第１三方弁（14b）を介して流れてきた熱媒体を、ファンコイルユニット（28）及び冷却コイルユニット（29）の少なくとも一方に流す。第３三方弁（14d）は、少なくとも１つのユニット（26,28,29）からの熱媒体を、ファンコイルユニット（27）及び気温調節ユニット（26）の少なくとも一方に流す。
【００９２】
なお、ポンプ（14a）による熱媒体の循環量、及び、各三方弁（14b,14c,14d）が採り得る状態は、各部屋（S11,S12）の目標温度及び実際の室内温度（RAg,RAc）等に基づいて決定されることが好ましい。
【００９３】
気温調節ユニット（26）は、生長室（S11）及び寒締め室（S12）の各室内温度（RAg,RAc）を調節する際の共通の熱源として利用されるものであるが、熱媒体循環回路（13）内の熱媒体を冷却するチラーユニットで構成される。それ故、気温調節ユニット（26）は、植物工場（S1）の外に設置されている。
【００９４】
ファンコイルユニット（28）は、寒締め室（S12）内の天井や壁、床等に設置されており、熱媒体と空気とを熱交換させるファンコイル（28a）及びファン（図示せず）等を有する。ファンコイルユニット（28）は、寒締め室（S12）の室内空気（RAc）を吸い込むと、これを気温調節ユニット（26）にて冷却された熱媒体（HM1）と熱交換させて冷却する。ファンコイルユニット（28）は、冷却した空気（SAc）を、寒締め室（S12）内に供給する。
【００９５】
冷却コイルユニット（29）は、寒締め室（S12）内の栽培ベッド（40）において、栽培パネル（41）の下方且つ養液槽（45）内部に設けられた冷却コイル（29a）を有する。つまり、冷却コイル（29a）は、養液（47）内に位置している。冷却コイル（29a）内部には、気温調節ユニット（26）によって冷却された熱媒体が通過し、これによって養液（47）は適切な温度に冷却される。即ち、冷却コイルユニット（29）は、気温調節ユニット（26）にて冷却された熱媒体を用いて養液（47）を冷却する。
【００９６】
なお、図５では、上記実施形態１〜３で示した貫通孔（43）の形成されていない栽培パネル（41）が用いられている場合を例示している。
【００９７】
ファンコイルユニット（27）は、生長室（S11）内の天井や壁、床等に設置されており、熱媒体と空気とを熱交換させるファンコイル（27a）及びファン（図示せず）等を有する。ファンコイルユニット（27）は、生長室（S11）の室内空気（RAg）を吸い込むと、これを気温調節ユニット（26）にて冷却された熱媒体または更に寒締め室（S12）内のファンコイルユニット（28）及び冷却コイルユニット（29）によって冷却された熱媒体と熱交換させて冷却する。ファンコイルユニット（27）は、冷却した空気（SAg）を、生長室（S11）内に供給する。即ち、ファンコイルユニット（27）は、気温調節ユニット（26）によって冷却された熱媒体を用いて生長室（S11）内の空気を冷却する。
【００９８】
＜空気調和機の動作＞
先ず、生長室（S11）内の目標温度が１８℃であって寒締め室（S12）内の目標温度が５℃である一方、実際の生長室（S11）の室内温度（RAg）が約２４℃であって実際の寒締め室（S12）の室内温度（RAc）が約７℃であるとする。
【００９９】
気温調節ユニット（26）に流入する熱媒体（HM3）は、生長室（S11）の室内空気（RAg）と熱交換を行った後の熱媒体、具体的には、室内空気（RAg）から吸熱した後の熱媒体であるため、ある程度高い温度の熱媒体となっている（例えば約１２℃）。チラーユニットである気温調節ユニット（26）は、約１２℃の熱媒体（HM3）を約３℃にまで冷却すると、冷却された熱媒体（HM1）を配管（14）に流出させる。
【０１００】
寒締め室（S12）内のファンコイルユニット（28）及び冷却コイルユニット（29）には、約３℃である気温調節ユニット（26）からの熱媒体（HM1）が流入する。
【０１０１】
ファンコイルユニット（28）は、寒締め室（S12）の室内空気（RAc）を吸い込み、室内空気（RAc）が寒締め室（S12）の目標温度である約５℃の空気（SAc）となるまで、ファンコイル（28a）にて熱媒体（HM1）と室内空気（RAc）とを熱交換させる。ファンコイルユニット（28）は、冷却した空気（SAc）を吹き出し口を介して寒締め室（S12）内に送り出し、熱交換によって約５℃となった熱媒体（HM2）を配管（14）に流出させる。
【０１０２】
冷却コイルユニット（29）は、約３℃の熱媒体（HM1）を養液（47）と熱交換させることで、養液（47）を約５℃にする。これにより、植物（61）の少なくとも根が冷やされる。冷却コイルユニット（29）は、養液（47）との熱交換により約５℃となった熱媒体（HM2）を配管（14）に流出させる。
【０１０３】
生長室（S11）内のファンコイルユニット（27）には、寒締め室（S12）内のファンコイルユニット（28）及び冷却コイルユニット（29）から流出し合流した熱媒体（HM2）（約５℃）が流入する。即ち、気温調節ユニット（26）にて冷却された熱媒体が先ずはファンコイルユニット（28）に送られて寒締め室（S12）内の空気の冷却に利用されると共に冷却コイルユニット（29）に送られて養液（47）の冷却に利用されるが、ファンコイルユニット（27）には、これら冷却利用後の熱媒体が送られる。ファンコイルユニット（27）は、生長室（S11）の室内空気（RAg）（約２４℃）を吸い込み、室内空気（RAg）が生長室（S11）の目標温度である約１８℃となるまで、ファンコイル（27a）にて熱媒体（HM2）と室内空気（RAg）とを熱交換させる。ファンコイルユニット（27）は、冷却した空気（SAg）を吹き出し口を介して生長室（S11）内に送り出し、熱交換によって約１２℃となった熱媒体（HM3）を配管（14）に流出させる。
【０１０４】
熱媒体（HM3）は気温調節ユニット（26）に再度流入し、上述した動作が繰り返される。
【０１０５】
＜効果＞
本実施形態４では、植物工場（S1）内の生長室（S11）及び寒締め室（S12）の空調制御には、１台の気温調節ユニット（26）が共通して利用される。これにより、個々の部屋（S11,S12）毎に気温調節ユニット（26）を設ける必要がない分、空調システム（10）は低コストで構築できる。従って寒締め栽培を低コストにて実現することができる。
【０１０６】
また、寒締め室（S12）内には、水またはブラインである熱媒体を用いて寒締め室（S12）の室内空気（RAc）を冷却するファンコイルユニット（28）が設けられている。生長室（S11）内には、気温調節ユニット（26）にて冷却された熱媒体を用いて生長室（S11）内の空気を冷却するファンコイルユニット（27）が設けられている。従って、空調システム（10）は、簡単な構成にて、各部屋（S11,S12）の室内空気（RAg,RAc）を冷却することができる。
【０１０７】
また、気温調節ユニット（21）にて冷却された熱媒体（HM1）は、寒締め室（S12）内のファンコイルユニット（28）にて寒締め室（S12）内の空気（RAc）を冷却した後、生長室（S11）内のファンコイルユニット（27）に送られる。つまり、熱媒体は、先に寒締め室（S12）の室内空気（RAc）を冷却するため、冷却後の熱媒体（HM2）自身の温度は冷却前よりも上昇しているものの、生長室（S11）は寒締め室（S12）よりも高い温度に管理される。そのため、ファンコイルユニット（27）は、温度が上昇した熱媒体（HM2）を用いても生長室（S11）を適切な温度にすることができる。
【０１０８】
また、寒締め室（S12）内には、気温調節ユニット（26）にて冷却された熱媒体を用いて養液（47）を冷却する冷却コイルユニット（29）が設けられている。養液（47）の冷却により、栽培パネル（41）に栽培されている植物（61）の根が冷却されるため、寒締め工程が効果的に行われる。
≪実施形態５≫
本実施形態５に係る空調システム（10）は、上記実施形態４を基本としたものであるが、養液冷却ユニットは、図５の冷却コイルユニット（29）に代えて、図６に示す冷却ユニット（30）が採用されてもよい。本実施形態５に係る冷却ユニット（30）は、気温調節ユニット（26）にて冷却された熱媒体を用いて養液（47）を冷却するユニットであって、養液タンク（31）と、流出配管（32）と、流入配管（33）とを有する。
【０１０９】
養液タンク（31）は、中空状の容器であって、内部には養液が貯留される。また、養液タンク（31）の内部には、熱媒体循環回路（13）の配管（14）の一部が位置し、養液タンク（31）の流出口には流出配管（32）の一端が接続され、養液タンク（31）の流入口には流入配管（33）の一端が接続されている。流出配管（32）及び流入配管（33）の各他端は、養液槽（45）内にて開放されている。なお、流出配管（32）及び流入配管（33）のいずれか一方には、養液循環用のポンプ（図示せず）が設けられていることが好ましい。
【０１１０】
この冷却ユニット（30）では、養液は、養液タンク（31）内にて配管（14）を流れる熱媒体（具体的には、チラーユニットである気温調節ユニット（26）で冷却された熱媒体）によって、所望する温度である約５℃に冷却される。冷却された養液は、養液タンク（31）と養液槽（45）との間を、流出配管（32）及び流入配管（33）を介して循環する。
【０１１１】
本実施形態５に係る空調システム（10）の他の構成は、上記実施形態４と同様であり、本実施形態５は上記実施形態４と同様の効果を奏する。
≪実施形態６≫
＜空気調和機の構成＞
本実施形態６に係る空調システム（10）の空気調和機（20）は、生長室（S11）及び寒締め室（S12）それぞれの室内温度を、２種類の熱媒体を用いて調節する。熱媒体としては、空気と、水またはブラインとが挙げられる。このような本実施形態６に係る空調システム（10）は、いわば上記実施形態１と上記実施形態４とを組合せたような構成となっている。
【０１１２】
図７に示すように、空気調和機（20）は、１台の気温調節ユニット（34）と、第１生長室側冷却ユニットである混合器（22）と、第１寒締め室側冷却ユニットであるファンコイルユニット（28）と、養液冷却ユニットである冷却コイルユニット（29）とを有する。気温調節ユニット（34）は、植物工場（S1）の外と生長室（S11）内部とに、跨がって配置されている。混合器（22）は、生長室（S11）内の天井や壁等に配置されている。ファンコイルユニット（28）は、寒締め室（S12）内の天井や壁、床等に配置されている。冷却コイルユニット（29）は、寒締め室（S12）内の栽培ベッド（40）にて、養液槽（45）内部に配置されている。
【０１１３】
なお、混合器（22）は、上記実施形態１の混合器（22）と同様であり、ファンコイルユニット（28）及び冷却コイルユニット（29）は、上記実施形態４のファンコイルユニット（28）及び冷却コイルユニット（29）と同様である。
【０１１４】
以下では、主に気温調節ユニット（34）について説明する。
【０１１５】
気温調節ユニット（34）は、植物工場（S1）の外に配置される熱源ユニット（35）と、生長室（S11）内に配置される中間ユニット（36）とを有する。熱源ユニット（35）と中間ユニット（36）とは、冷媒配管（15,16）により互いに接続されている。
【０１１６】
熱源ユニット（35）には、圧縮機や熱交換器等が含まれている。中間ユニット（36）には、冷媒と空気とを熱交換するためのファンコイル部（37）と、冷媒とブラインまたは水とを熱交換するためのチラー部（38）とが含まれている。熱源ユニット（35）の冷媒入口は、冷媒配管（15）により中間ユニット（36）におけるファンコイル部（37）の冷媒出口及びチラー部（38）の冷媒出口それぞれに接続されている。熱源ユニット（35）の冷媒出口は、冷媒配管（16）により三方弁（16a）を介して中間ユニット（36）におけるファンコイル部（37）の冷媒入口及びチラー部（38）の冷媒入口それぞれに接続されている。即ち、ファンコイル部（37）及びチラー部（38）は、熱源ユニット（35）に対し互いに並列に接続されている。熱源ユニット（35）、中間ユニット（36）及び冷媒配管（15,16）によって冷媒回路が形成されており、内部には冷媒が循環している。
【０１１７】
更に、ファンコイル部（37）の空気の吹き出し口は、ダクト（17）を介して混合器（22）に接続されている。
【０１１８】
更に、チラー部（38）における水またはブラインである熱媒体の出口は、配管（19）を介してファンコイルユニット（28）及び冷却コイルユニット（29）に接続されており、チラー部（38）、ファンコイルユニット（28）及び冷却コイルユニット（29）によって熱媒体循環回路（18）が形成されている。熱媒体循環回路（18）上には、熱媒体を循環させるポンプ（19a）と、チラー部（38）からの熱媒体をファンコイルユニット（28）及び冷却コイルユニット（29）の少なくとも一方に流す三方弁（19b）とが設けられている。
【０１１９】
中間ユニット（36）は、熱源ユニット（35）からの冷媒を用いて、冷却した空気（SAb）及び冷却した水またはブラインである熱媒体（HM4）を生成する。具体的に、ファンコイル部（37）は、生長室（S11）の室内空気（RAg）を吸い込むと、これをファンコイル（37a）にて熱源ユニット（35）からの冷媒と熱交換させて、室内空気（RAg）を冷却する。冷却された空気（SAb）は、ダクト（17）内に送り出され、混合器（22）に吸い込まれる。チラー部（38）は、熱源ユニット（35）からの冷媒を用いて、水またはブラインである熱媒体を冷却する。冷却された熱媒体（HM4）は、チラー部（38）から配管（19）に流出され、ファンコイルユニット（28）及び冷却コイルユニット（29）の少なくとも一方を流れた後、再度チラー部（38）に流入する。
【０１２０】
＜空気調和機の動作＞
先ず、生長室（S11）内の目標温度が１８℃であって寒締め室（S12）内の目標温度が５℃である一方、実際の生長室（S11）の室内温度（RAg）が約２４℃であって実際の寒締め室（S12）の室内温度（RAc）が約７℃であるとする。
【０１２１】
気温調節ユニット（34）のファンコイル部（37）は、生長室（S11）の室内空気（RAg）を吸い込み、室内空気（RAg）が約３℃の空気（SAb）となるまで、ファンコイル（37a）にて熱源ユニット（35）からの冷媒と室内空気（RAg）とを熱交換させる。ファンコイル部（37）は、冷却した空気（SAb）をダクト（17）に送り出す。
【０１２２】
気温調節ユニット（34）のチラー部（38）に流入する熱媒体（HM5）は、ファンコイルユニット（28）及び冷却コイルユニット（29）にて室内空気（RAc）及び養液（47）それぞれと熱交換を行った後の熱媒体であるため、ある程度高い温度の熱媒体となっている（例えば約５℃）。チラー部（38）は、約５℃の熱媒体（HM5）を約３℃にまで冷却すると、冷却された熱媒体（HM4）を配管（19）に流出させる。チラー部（38）から流出した熱媒体（HM4）は、ファンコイルユニット（28）及び冷却コイルユニット（29）それぞれに直接流入される。
【０１２３】
混合器（22）は、約３℃である気温調節ユニット（21）からの空気（SAb）と約２４℃である生長室（S11）の室内空気（RAg）とを吸い込んで混合し、生長室（S11）の目標温度である約１８℃の空気（SAg）を生成して生長室（S11）内に送り出す。
【０１２４】
ファンコイルユニット（28）は、寒締め室（S12）の室内空気（RAc）を吸い込み、室内空気（RAc）が寒締め室（S12）の目標温度である約５℃の空気（SAc）となるまで、ファンコイル（28a）にて熱媒体（HM4）と室内空気（RAc）とを熱交換させる。ファンコイルユニット（28）は、冷却された空気（SAc）を吹き出し口を介して寒締め室（S12）内に送り出すと共に、熱交換により約５℃となった熱媒体（HM5）を配管（19）に流出させる。
【０１２５】
冷却コイルユニット（29）は、冷却コイル（29a）にて熱媒体（HM4）を養液（47）と熱交換させて養液（47）を約５℃にする。これにより、植物（61）の少なくとも根が冷やされる。また、冷却コイルユニット（29）は、養液（47）と熱交換後の熱媒体（HM5）を配管（19）に流出させる。当該熱媒体（HM5）は、ファンコイルユニット（28）からの熱媒体（HM5）と合流してチラー部（38）に再び流入する。
【０１２６】
＜効果＞
本実施形態６では、植物工場（S1）内の生長室（S11）及び寒締め室（S12）の空調制御には、１台の気温調節ユニット（34）が共通して利用される。これにより、個々の部屋（S11,S12）毎に気温調節ユニット（34）を設ける必要がない分、空調システム（10）は低コストで構築できる。従って、寒締め栽培を低コストにて実現することができる。
【０１２７】
また、寒締め室（S12）内には、水またはブラインである熱媒体を用いて寒締め室（S12）の室内空気（RAc）を冷却するファンコイルユニット（28）が設けられている。生長室（S11）内には、気温調節ユニット（34）にて冷却された空気を用いて生長室（S11）内の空気を冷却する混合器（22）が設けられている。従って、空調システム（10）は、簡単な構成にて、各部屋（S11,S12）の室内空気（RAg,RAc）を冷却することができる。
【０１２８】
また、気温調節ユニット（34）にて冷却された空気（SAb）は生長室（S11）内の混合器（22）に直接送られ、気温調節ユニット（34）にて冷却された熱媒体（HM4）は寒締め室（S12）内のファンコイルユニット（28）に直接送られる。これにより、生長室（S11）及び寒締め室（S12）の双方が概ね同時に冷却される。
【０１２９】
また、寒締め室（S12）内には、養液（47）を冷却する冷却コイルユニット（29）が設けられている。これにより、栽培パネル（41）に栽培されている植物（61）の根が冷却されるため、寒締め工程が効果的に行われる。
【０１３０】
≪その他の実施形態≫
上記実施形態１〜６については、以下のような構成としてもよい。
【０１３１】
上記実施形態３〜６の各空気調和機（20）は、上記実施形態２で示したような、第２生長室側冷却ユニットである混合器（25）を更に有していてもよい。
【０１３２】
上記実施形態１〜３の寒締め室（S12）では、混合器（23）及び空気分散器（24,24'）の少なくとも一方のみが設けられている構成であってもよい。例えば、空気分散器（24,24'）の放出する空気（SAb）が貫通孔（43）を介して寒締め室（S12）内に十分供給されることによって、寒締め室（S12）内が冷却されるのであれば、寒締め室（S12）内の混合器（23）は設けられずとも良い。
【０１３３】
上記実施形態４〜６の冷却コイルユニット（29,30）は、設けられていなくても良い。
【０１３４】
上記実施形態４〜６の熱媒体循環回路（13,18）の構成は、図５〜７にて示した構成に限定されない。熱媒体循環回路（13,18）は、寒締め室（S12）を生長室（S11）よりも低い温度に冷却することが少なくともできればよく、どのような構成であってもよい。
【０１３５】
上記実施形態１〜３及び６では、第１生長室側冷却ユニットを混合器（22）にて構成している場合を説明し、上記実施形態４及び５では、第１生長室側冷却ユニットをファンコイルユニット（27）にて構成している場合を説明した。しかし、第１生長室側冷却ユニットは、１台の気温調節ユニット（21,26,34）にて冷却された熱媒体（空気、水及びブライン等）を用いて生長室（S11）内の空気を冷却できれば良い。そのため、第１生長室側冷却ユニットの構成は、上記実施形態１〜６に限定されない。
【０１３６】
同様に、第２生長室側冷却ユニットは、上記実施形態２の混合器（25）に限定されない。
【０１３７】
同様に、第１寒締め室側冷却ユニットは、上記実施形態１〜３の混合器（23）及び上記実施形態４〜６のファンコイルユニット（28）に限定されない。第２寒締め室側冷却ユニットは、上記実施形態１〜３の空気分散器（24,24'）に限定されない。養液冷却ユニットは、上記実施形態４及び６の冷却コイルユニット（29）及び上記実施形態５の冷却ユニット（30）に限定されない。
【産業上の利用可能性】
【０１３８】
本発明は、植物工場（S1）用の空調システム（10）について有用である。
【符号の説明】
【０１３９】
10  空調システム
20  空気調和機
21,26,34  気温調節ユニット
22  混合器（第１生長室側冷却ユニット）
23  混合器（第１寒締め室側冷却ユニット）
24  空気分散器（第２寒締め室側冷却ユニット）
25  混合器（第２生長室側冷却ユニット）
27  ファンコイルユニット（第１生長室側冷却ユニット）
28  ファンコイルユニット（第１寒締め室側冷却ユニット）
29  冷却コイルユニット（養液冷却ユニット）
30  冷却ユニット（養液冷却コイル）
41  栽培パネル
45  養液槽（貯留部）
S1  植物工場
S11  生長室
S12  寒締め室
【図１】
2016146755.tif 000003
【図２】
2016146755.tif 000004
【図３】
2016146755.tif 000005
【図４】
2016146755.tif 000006
【図５】
2016146755.tif 000007
【図６】
2016146755.tif 000008
【図７】
2016146755.tif 000009